(57)【要約】【課題】  内容物取り扱い部材付き容器において、容器の耐久性と廃棄性を向上することができるとともに、コスト低減、及び使用時の製品安定性を向上すること。【解決手段】  容器１０であって、切断誘導線４１に沿って容器本体１１側から切断除去された封止材１３の残りの容器開口部の各４つの角残存部分が、容器本体１１の補強部４１Ａとされ、封止材１３の少なくとも一部が、切断誘導線６２に沿って分離される内容物取り扱い構成部１４であり、内容物取り扱い構成部１４は折り線に沿って内容物取り扱い部材１６を折り上げ可能とされ、封止材１３の容器本体１１側に残存する封着部分の下端エッジ部分が、蓋体１１の閉じ状態で該体１１の折返し部分の先端エッジと係止できるもの。【選択図】  図１
2004155506.tif 000002
【特許請求の範囲】
【請求項１】
容器本体の開口を封止する封止材が該開口周りに封着されるとともに、該開口を開閉する蓋体が容器本体にヒンジ接合された容器であって、
前記封止材に内容物を取り出すための開封用切断誘導線が設けられており、該切断誘導線に沿って容器本体側から切断除去された封止材の残りの容器開口部の各４つの角残存部分が、容器本体の補強部とされ、
前記封止材の少なくとも一部が、該封紙材に設けられている切断誘導線に沿って分離される内容物取り扱い構成部であり、該内容物取り扱い構成部はそれ自体に設けられている折り線に沿って内容物取り扱い部材を折り上げ可能とされ、
前記封止材の容器本体側に残存する封着部分の下端エッジ部分が、蓋体の閉じ状態で該蓋体の折返し部分の先端エッジと係止できる容器。
【請求項２】
前記封止材が板紙からなる請求項１記載の容器。
【請求項３】
前記内容物が粉剤である請求項１又は２記載の容器。
【発明の詳細な説明】
【技術分野】
【０００１】
本発明は粉剤等を収容する容器に関する。
【背景技術】
【０００２】
粉剤を収容する容器では、容器本体の開口を補強するため、該容器本体の開口縁部に折り返しを設けたり、該容器本体の開口縁部に別部品を貼り合わせている。
【０００３】
従来技術には以下の問題点がある。
(1)容器本体の開口縁部に折り返しを設けて強度を向上させるため、補強用材料が増えて、コストアップになる。
【０００４】
(2)一枚の板紙で作られる容器本体開口部の向かい合う２つの側面に、互いに平行で向きが逆に生ずる力、即ち剪断力が働いた場合、２つの側面板は力が加わった方向へ移動し、開口縁部全体がずれ変形し、安定した取り出し作業を困難にする。
【０００５】
(3)容器本体、蓋体等の容器の主構成材料が板紙製であるのに対し、内容物を取り扱うスプーンがプラスチック製であるため、容器の使用後の廃棄段階で材料毎に分別廃棄する必要があり、廃棄性が悪い。
【０００６】
(4)容器本体に蓋体を繰り返し被着する使用段階で、蓋体が完全に閉まっていることが、分かりづらく、高温多湿の条件下に置かれた場合、製品の品質安定性が悪い。
【発明の開示】
【発明が解決しようとする課題】
【０００７】
本発明の課題は、内容物取り扱い部材付き容器において、容器の耐久性と廃棄性を向上することができるとともに、コスト低減、及び使用時の製品安定性を向上することにある。
【課題を解決するための手段】
【０００８】
請求項１に記載の発明は、容器本体の開口を封止する封止材が該開口周りに封着されるとともに、該開口を開閉する蓋体が容器本体にヒンジ接合された容器であって、前記封止材に内容物を取り出すための開封用切断誘導線が設けられており、該切断誘導線に沿って容器本体側から切断除去された残りの容器開口部の各４つの角残存部分が、容器本体の補強部とされ、前記封止材の少なくとも一部が、該封紙材に設けられている切断誘導線に沿って分離される内容物取り扱い構成部であり、該内容物取り扱い構成部はそれ自体に設けられている折り線に沿って内容物取り扱い部材を折り上げ可能とされ、前記封止材の容器本体側に残存する封着部分の下端エッジ部分が、蓋体の閉じ状態で該蓋体の折返し部分の先端エッジと係止できるようにしたものである。
【発明を実施するための最良の形態】
【０００９】
容器１０は、図１〜図３に示す如く、粉末洗剤が収容されて開口１１Ａを有する容器本体１１と、容器本体１１の開口１１Ａ回りに封着される封止材１３と、容器本体１１の開口１１Ａ回りに被着される蓋体１２とから構成される。
【００１０】
容器本体１１は、板紙からなり側面板と天面板を備える。
蓋体１２は、板紙からなり、天板と側面板を備える。
【００１１】
封止材１３は、図３（Ａ）に示す如く、外周に沿い開口１１Ａのための切断誘導線４１を備え、切断誘導線４１により囲まれる開口部１７の内部にスプーン構成部１４（内容物取り扱い構成部）を設けている。スプーン構成部１４は封止材１３に設けられている切断誘導線６２に沿って切断除去される。切断除去された残りの部分は開口１１Ａの４つの角部４１Ａとなり、容器本体の補強部となる。
【００１２】
上記補強部は略三角形であるが、これに限らず三角形の斜辺が曲線でも良く、或いは他の形状として四角形等多角形でも良い。上記補強部の容器本体につながっている辺の長さは、容器本体開口部を構成する長辺の5〜30％、短辺の10〜25％の長さであれば、容器本体開口部の補強の点、更に内容物の取り出し作業の邪魔にならない点でも好ましい。スプーン構成部１４自体に設けられている折り線に沿ってスプーン１６（内容物取り扱い部材）を折り曲げ形成可能としている。
【００１３】
スプーン１６を構成するスプーン構成部１４は、図３に示す如く、封止材１３を構成している板紙１５に、計量部４８と把持部４９とが一体成形されたものであり、計量部４８が粉粒体としての粉末洗剤を計量する。また、把持部４９は、計量部４８から一方向に延設して形成される。
【００１４】
把持部４９には、２本の第１山折り罫線４２、２本の第２山折り罫線４４、第３山折り罫線４７、２本の第４山折り罫線４３が形成され、その一方の第４山折り罫線４３の中央部に切断線５９が形成され、もう一方の第４山折り罫線４３の外側に第５山折り罫線５５が形成される。２本の第２山折り罫線４４に交差する第１谷折り罫線４６の両端点４６ａから、計量部４８と把持部４９との外側の両交点５０へ向かって第２谷折り罫線４５が形成される。これらの第１山折り罫線４２、第２山折り罫線４４及び第３山折り罫線４７を山折りに折り曲げ、第１谷折り罫線４６及び第２谷折り罫線４５を谷折りに折り曲げ（スプーン１６の組立状態で）、第４山折り罫線４３を山折りに折り曲げ、更に、第５山折り罫線５５を山折りに折り曲げ、差し込み片５６を切断線５９に差し込み、把持部４９が断面ロ字形状に構成される。このとき、把持部４９の天面部５１が両山折り罫線４２に囲まれて形成され、把持部４９の前面部５１Ａが両第２山折り罫線４４、第３山折り罫線４７及び第１谷折り罫線４６に囲まれて形成され、把持部４９の側面部５２が第１山折り罫線４２、第２山折り罫線４４及び第１谷折り罫線４６に囲まれて形成される。
【００１５】
更に、計量部４８には、第１谷折り罫線４６の両端点４６ａから、把持部４９と反対方向へ向かい第３谷折り罫線５３が形成される。この第３山折り罫線５３及び第１谷折り罫線４６を谷折りに折り曲げることにより、スプーン１６の組立状態で、これらの両第３谷折り罫線５３に囲まれて、平坦形状の計量部４８の底部５４が構成される。
【００１６】
更に、スプーン１６の組立状態で、第２谷折り罫線４５、第３谷折り罫線５３及び計量部４８の後述の切欠辺６０を除く外縁に囲まれて、第２谷折り罫線４５及び第３谷折り罫線５３から斜め上方へ傾斜する計量部４８の側部６１が構成される。
【００１７】
また、計量部４８には、把持部４９との反対位置、つまり両第３谷折り罫線５３が計量部４８の外縁と交差する位置６０Ａが直線状に切除されて切欠辺６０が形成される。
【００１８】
容器１０は、以下の手順で組み立てられる。
(1) 容器本体１１を折り形成する。側面板２１、正面板２２、側面板２３、背面板２４を折り曲げ、接着し、底板を折り曲げ接着し、容器本体１１を形成する。容器本体１１の開口１１Ａから内容物となる粉末を充填する。
【００１９】
(2) 封止材１３を容器本体１１の開口１１Ａに封着する。具体的には、封止材１３の４周の貼付板７１〜７４を容器本体１１の側面板２１、正面板２２、側面板２３、背面板２４の上縁寄り外側面に外嵌合で接着する。
【００２０】
(3) 蓋体１２は図１の開き状態から貼付板３６の回りに可動せしめられて、閉じ状態に閉止可能とされる。蓋体１２は、閉じ状態で、折り返し片３８の先端エッジを容器本体１１の正面板２２に貼着されている貼付板７３の下端エッジに係止してその閉じ状態となる（図１（Ｂ））。尚、容器本体１１の貼付板７３に対する蓋体１２の折り返し片３８の係止は、タブ３７に加える開き力による折り返し片３８の撓み変形で容易に解除できる。
【００２１】
従って、本発明によれば、下記ａ〜ｇの作用がある。
ａ  容器本体天面部を切断誘導線に沿って分離後、該容器本体の開口縁部の角部に補強部が容器に残るように構成したので、上記の容器本体の開口縁部全体のずれ変形の防止ができる。
【００２２】
ｂ  封止材を切断誘導線に沿って分離後、該封止材の容器本体と接着した部分が該容器本体の開口周りの正面、背面、両側面と、上端角部にも補強部として残り、容器本体を補強することができ、耐久性が向上できる。
【００２３】
ｃ  容器本体、蓋体とともに容器の主構成材料である封止材に内容物取り扱い構成部を設けたので、容器の構成部品点数が内容物取り扱い構成部だけのために増加することにならない。従って、容器の構成部品点数を少なくし、容器の組立工数も少なくしながら、内容物取り扱い構成部を備えることができる。
【００２４】
ｄ  内容物取り扱い構成部が容器の主構成材料である封止材に組み込まれており、容器の主構成材料を単一化しながら、内容物取り扱い構成部を備えることができる。従って、容器の使用後の廃棄段階で分別廃棄する必要がなく、廃棄性を向上できる。
【００２５】
ｅ  内容物取り扱い構成部を持つ封止材を板紙とした。そして、板紙の切断誘導線に沿って内容物取り扱い構成部を分離し、内容物取り扱い構成部自体の折り線に沿って内容物取り扱い部材を折り上げ可能とするものであり、内容物取り扱い部材を容易に組み立てできる。
【００２６】
ｆ  内容物取り扱い構成部を持つ封止材を板紙としたから、容器コストを低減し、廃棄段階で容易に破ったり丸める等によって廃棄容積を小容積化し、焼却性も良く、或いは再生紙としての再利用性も向上できる。
【００２７】
ｇ  封止材の容器本体と接着した部分に、蓋体に設けられた折り返し部分の一部が係止でき、容器本体と蓋体との閉じ状態を保持でき、閉まったことが確認できる係止音を発することもできる。これにより、蓋体が完全に容器本体の開口を封止したことが分かり、使用時の製品安定性を向上することができる。
【００２８】
尚、容器１０にあっては、スプーン１６をスプーン構成部１４から前述した如くに折り上げ形成したから、以下の作用もある。
【００２９】
(1)1枚の板紙１５にて計量部４８と把持部４９とが一体成形されたので、折り曲げ、及び差し込み作業するだけでスプーン１６を構成でき、糊貼り作業によらず、スプーン１６を簡単に組み立てることができる。
【００３０】
(2)把持部４９に少なくとも２本の第１山折り罫線４２が形成され、この第１山折り罫線４２に連続する第２山折り罫線４４と計量部４８とが第１谷折り罫線４６で連設され、且つ上記第１谷折り罫線４６の両端点４６ａと計量部４８及び把持部４９の外側の交点５０とが第２谷折り罫線４５にて連設されたので、スプーン１６の組立状態で、把持部４９を断面ロ字形状に構成できる。このため、スプーン１６の組立状態で、計量部４８と把持部４９との間で上下左右のがたつきが生ぜず、この組立状態のスプーン１６を用いて粉末洗剤を安定して計量できる。
【００３１】
(3)計量部４８に第１谷折り罫線４６の両端点４６ａから把持部の反対方向へ向かい、第３谷折り罫線５３が形成されたので、スプーン１６の組立状態で計量部４８に、第１谷折り罫線４６と第３谷折り罫線５３に囲まれて平坦形状の底部５４が形成される。このため、この計量部４８の底部５４によって、粉末洗剤を充填した容器１０の底面にある粉末洗剤を残さずすくい出すことができる。
【００３２】
(4)計量部４８には、把持部４９との反対位置に直線形状の切欠辺６０が形成されたので、粉末洗剤を充填した容器１０が角型容器である場合に、その角型容器１０の隅部にある粉末洗剤を良好にすくい出すことができる。
【図面の簡単な説明】
【００３３】
【図１】図１は容器の蓋体の開き状態を示す模式図である。
【図２】図２は容器の開封状態を示す模式図である。
【図３】図３はスプーンを示す模式図である。
【符号の説明】
【００３４】
１０  容器
１１  容器本体
１１Ａ  開口
１２  蓋体
１３  封止材
１４  スプーン構成部（内容物取り扱い構成部）
１６  スプーン（内容物取り扱い部材）
４１、６２  切断誘導線
４１Ａ  補強部
【図１】
2004155506.tif 000003
【図２】
2004155506.tif 000004
【図３】
2004155506.tif 000005